(57)【特許請求の範囲】
【請求項１】
室内空間の空気を取り込んで空調空気噴出口から空調空気を噴き出す空調機と、
前記空調空気噴出口と連通した風路を形成する放射パネルと、
前記風路を挟んで前記放射パネルと反対側に配置される断熱パネルと、
扁平な箱状に形成されて天井板の下面に設置され、前記室内空間を向いた下側部分が前記放射パネルからなり、その反対側の前記天井板を向いた上側部分が前記断熱パネルからなり、前記風路の上流端を前記空調空気噴出口に連通させて下流端を前記室内空間に開放するケースと、
前記放射パネルに設けられ、前記風路の上流側と下流側での前記室内空間への熱の放射量の差を緩和する放射グラデーション手段と、
を備えることを特徴とする放射空調システム。
【請求項２】
放射グラデーション手段が、放射パネルの熱抵抗が風路の上流側で大きく風路の下流側で小さくなるように材質を変化させたものであることを特徴とする請求項１に記載の放射空調システム。
【請求項３】
放射グラデーション手段が、放射パネルの肉厚を風路の上流側で厚く風路の下流側で薄くなるように変化させたものであることを特徴とする請求項１に記載の放射空調システム。
【請求項４】
放射グラデーション手段が、放射パネルにおける風路側の表面に形成した多数の凹凸からなり、この凹凸の密度を風路の上流側で低く風路の下流側で高くなるように変化させたものであることを特徴とする請求項１に記載の放射空調システム。
【請求項５】
放射グラデーション手段が、放射パネルにおける室内空間側の表面に形成した多数の凹凸からなり、この凹凸の密度を風路の上流側で低く風路の下流側で高くなるように変化させたものであることを特徴とする請求項１に記載の放射空調システム。
【請求項６】
放射パネルが透湿性を有する多孔質材又は繊維材からなることを特徴とする請求項１〜５のいずれか一に記載の放射空調システム。
【請求項７】
放射パネルが潜熱蓄熱材からなることを特徴とする請求項１〜５のいずれか一に記載の放射空調システム。
【発明の詳細な説明】
【技術分野】
【０００１】
本発明は、熱の放射により室内空間の空調を行う放射空調システムに関する。
【背景技術】
【０００２】
室内空間の温湿度環境を快適にするための空調機は、空調空気を室内空間へ噴き出して対流させるものが一般的である。このような空気噴流式の空調機によれば、室内空間に気流が発生し、その気流が人体に直接当たることで不快を感じることがある。また、たとえば冷房においては、風速０．５ｍで体感温度は３℃低下するといわれている。そこで近年は、不快な気流感や、室内空間の上下温度分布が発生しにくい放射空調システムが注目されている。
【０００３】
図７は、この種の放射空調システムの従来技術を示すものである。すなわち図７に示す放射空調システムは、天井材１０１の裏側に上部及び側部が断熱材１０２によって適切に断熱され密閉された天井裏空間１０４を形成して、この天井裏空間１０４に空気調和機１０３からの冷却空気又は加熱空気Ａを供給して、天井材１０１からの熱放射により室内空間１０５の冷暖房を行うものである（下記の特許文献１参照）。
【０００４】
ここで、ヒトの体感温度は、おおよそ次式（１）で表すことができる。
【数１】
0006512658.tif 000002
そして放射空調システムは、式（１）におけるｔ２を調整することによって適正な体感温度を得ようとするものであり、空調空気を室内空間へ噴き出す一般的な空気噴流式の空調システムと比較して、空気を攪拌する必要がないので、不快な気流感や空調騒音が少なく、室内の空気温度自体は、冬は低めに、夏は高めに抑えられるので、窓を通した熱漏れや換気によるエネルギーロスが少なくなり、さらには空気温度の設定が抑えられるため、冬の相対湿度は高めに、夏の相対湿度は低めにシフトし、快適な湿度環境が形成されるといった利点があり、就寝中の人や低代謝の人に適した空調システムである。
【先行技術文献】
【特許文献】
【０００５】
【特許文献１】特開平５−１４９５８６号公報
【発明の概要】
【発明が解決しようとする課題】
【０００６】
しかしながら、図７に示す従来の技術による放射空調システムは、空調機１０３や断熱材１０２や配管などを天井裏空間１０４に設置するものであることから、施工やメンテナンスなどが天井裏での作業となり、天井裏空間１０４の高さがある程度高いものである必要がある。しかも、天井裏空間１０４がある程度加熱あるいは冷却されないと、天井材１０１から室内空間１０５への放射が行われないため冷暖房の立ち上がりが悪く、このため室内空間１０５が快適な空間となるのに長時間を要する懸念があった。
【０００７】
また、冷房運転の場合は天井材１０１の表面温度が配管の噴き出し口近傍で低温になり、暖房運転の場合は天井材１０１の表面温度が配管の噴き出し口近傍で高温になるような温度勾配を生じるため、このような温度勾配によって天井材１０１から室内空間１０５への熱の放射量の差が大きくなり、温度ムラを生じる懸念がある。
【０００８】
本発明は、以上のような点に鑑みてなされたものであって、その技術的課題は、施工が容易であって、冷暖房の立ち上がりに優れ、しかも温度ムラの生じにくい放射空調システムを提供することにある。
【課題を解決するための手段】
【０００９】
請求項１の発明に係る放射空調システムは、室内空間の空気を取り込んで空調空気噴出口から空調空気を噴き出す空調機と、前記空調空気噴出口と連通した風路を形成する放射パネルと、前記風路を挟んで前記放射パネルと反対側に配置される断熱パネルと、扁平な箱状に形成されて天井板の下面に設置され、前記室内空間を向いた下側部分が前記放射パネルからなり、その反対側の前記天井板を向いた上側部分が前記断熱パネルからなり、前記風路の上流端を前記空調空気噴出口に連通させて下流端を前記室内空間に開放するケースと、前記放射パネルに設けられ、前記風路の上流側と下流側での前記室内空間への熱の放射量の差を緩和する放射グラデーション手段と、を備える。
【００１０】
上記構成を備える放射空調システムは、空調機の運転状態では、空調機の空調空気噴出口から噴き出された空調空気（冷却空気又は加熱空気）が風路を通過する過程で、放射パネルが空調空気との熱交換により冷却又は加熱され、その表面温度に応じた放射強度で室内空間へ熱放射することによる放射冷暖房を行うものである。また、放射パネルと熱交換されることによって適宜昇温した前記冷却空気又は適宜降温した前記加熱空気は、前記風路の下流端から室内空間へ流出し、対流によって室内空間の空気を調温する室内対流冷暖房を行い、放射による冷暖房効果を補うものである。そして冷房運転の場合は風路内の冷却空気は上流側ほど低温に、下流側ほど高温になり、暖房運転の場合は風路内の加熱空気は上流側ほど高温に、下流側ほど低温になるような温度勾配を生じるが、放射パネルに設けた放射グラデーション手段は、このような温度勾配による室内空間への熱の放射量の差を緩和し、放射冷暖房による温度ムラを緩和するものである。放射パネルと断熱パネルはケース状にユニット化されているため、施工の際の取り扱いや取り付け作業を容易にすることができる。しかも断熱パネルによって熱損失が抑えられるため、放射パネルによる放射冷暖房効率を高めることができる。
【００１１】
請求項２の発明に係る放射空調システムは、請求項１に記載された構成において、放射グラデーション手段が、放射パネルの熱抵抗が風路の上流側で大きく風路の下流側で小さくなるように材質を変化させたものである。
【００１２】
すなわち、風路の上流側では放射パネルの熱抵抗が大きいことによって、室内空間側を向いた面への伝熱が抑制され、風路の下流側では放射パネルの熱抵抗が小さいことによって、室内空間側を向いた面への伝熱が促されるので、風路内の温度勾配による室内空間側の熱の放射量の差が緩和される。
【００１３】
請求項３の発明に係る放射空調システムは、請求項１に記載された構成において、放射グラデーション手段が、放射パネルの肉厚を風路の上流側で厚く風路の下流側で薄くなるように変化させたものである。
【００１４】
すなわち、風路の上流側では放射パネルの肉厚が厚いことによって、室内空間側を向いた面への伝熱が抑制され、風路の下流側では放射パネルの肉厚が薄いことによって、室内空間側を向いた面への伝熱が促されるので、風路内の温度勾配による室内空間側の熱の放射量の差が緩和される。
【００１５】
請求項４の発明に係る放射空調システムは、請求項１に記載された構成において、放射グラデーション手段が、放射パネルにおける風路側の表面に形成した多数の凹凸からなり、この凹凸の密度を風路の上流側で低く風路の下流側で高くなるように変化させたものである。
請求項５の発明に係る放射空調システムは、請求項１に記載された構成において、放射グラデーション手段が、放射パネルにおける室内空間側の表面に形成した多数の凹凸からなり、この凹凸の密度を風路の上流側で低く風路の下流側で高くなるように変化させたものである。
【００１６】
すなわち、風路の上流側では放射パネルに形成された凹凸の密度が低いことによって、放射パネルの単位領域の表面積が小さくなって熱放射が抑制され、風路の下流側では凹凸の密度が高いことによって、放射パネルの単位領域の表面積が大きくなって熱放射が促されるので、風路内の温度勾配による室内空間側の熱の放射量の差が緩和される。
【００１９】
請求項６の発明に係る放射空調システムは、請求項１〜５のいずれか一に記載された構成において、放射パネルが透湿性を有する多孔質材又は繊維材からなるものである。
【００２０】
すなわち、冷房運転時に空調空気流通空間を通過する空調空気（冷却空気）によって冷却される放射パネルが透湿性を有するため、この放射パネルに結露を生じるのを防止することができる。
【００２１】
請求項７の発明に係る放射空調システムは、請求項１〜５のいずれか一に記載された構成において、放射パネルが潜熱蓄熱材からなるものである。
【００２２】
放射パネルが潜熱蓄熱材からなるものとすれば、空調動作のオンオフ時に、放射パネルの表面温度に急激な変化が起こりにくく、室内空間の時間変化による温度のムラを抑えることができる。
【発明の効果】
【００２３】
本発明に係る放射空調システムによれば、空調機を天井裏空間に設置する必要がなく、しかも空調機と放射パネルとをユニット化することができるので、容易に施工することができる。また、放射パネルによる放射冷暖房を、風路の下流端部から空調空気が室内空間へ流出することによる対流冷暖房が補完するため、空調効果の立ち上がりが向上し、しかもケースの放射パネルからの放射が均一化されるため、放射冷暖房による温度ムラを緩和して快適性を向上させることができる。
【図面の簡単な説明】
【００２４】
【図１】本発明に係る放射空調システムの第一の実施の形態を示す斜視図である。
【図２】本発明に係る放射空調システムの第一の実施の形態を示す断面図である。
【図３】本発明に係る放射空調システムの第二の実施の形態を示す断面図である。
【図４】本発明に係る放射空調システムの第三の実施の形態を示す断面図である。
【図５】本発明に係る放射空調システムの第四の実施の形態を示す断面図である。
【図６】放射パネルに潜熱蓄熱材を用いた場合の特性を示す線図である。
【図７】従来の放射空調システムの一例を概略的に示す縦断面図である。
【発明を実施するための形態】
【００２５】
以下、本発明に係る放射空調システムの好ましい実施の形態について、図面を参照しながら説明する。まず図１及び図２は第一の実施の形態を示すもので、参照符号１は室内空間であり、１１は室内空間１を画成する天井板、１２は壁面、１３は床面である。
【００２６】
参照符号２は放射空調システムで、適当な取付具２４を介して天井板１１の下面に設置され、室内空間１の空気を取り込んで空調空気を噴き出す空調機２１と、この空調機２１の空調空気噴出口２１１ａに接続されて水平な風路２３を形成する中空のケース２２を備える。ケース２２は、高さ方向の寸法（厚さ）が100ｍｍ前後、あるいはそれ以下の薄いものとすることができる。
【００２７】
放射空調システム２における空調機２１は、天井板１１の下面に設置される室内機２１１と、屋外に設置される室外機２１２を備え、室内機２１１と室外機２１２の間で、熱媒流体を、液相−気相の可逆変化を伴いながら配管２１３を介して循環させることによって熱を運搬するヒートポンプ機能を奏するものである。そして室内機２１１は、室内空間１の空気を取り込んで熱媒流体の相変化に伴う吸熱又は放熱作用により冷却又は加熱し、この冷却又は加熱された空気を、空調空気噴出口２１１ａから噴き出すようになっている。
【００２８】
放射空調システム２におけるケース２２は水平方向へ扁平な箱状に形成されていて、天井板１１の下面に設置され、室内空間１を向いた下側部分が放射パネル２２１からなり、その反対側の天井板１１を向いた上側部分が断熱パネル２２２からなる。そしてこの放射パネル２２１と断熱パネル２２２の間の風路２３は、上下方向に対して狭く水平方向に対して広い扁平な隙間状に形成され、その上流端２３ａが空調機２１の室内機２１１の空調空気噴出口２１１ａと連通すると共に、下流端２３ｂが室内空間１に開放されている。
【００２９】
放射パネル２２１には、好ましくは熱抵抗が小さく（熱伝導性が良く）、かつ透湿性を有する薄肉の多孔質材、グラスファイバーの繊維板、あるいは和紙が好適に採用される。なお、和紙などのような膜状のものの場合は、適当な枠体に張設して用いられる。また、断熱パネル２２２としては、ウレタンなどの発泡樹脂保温材等が好適に採用される。
【００３０】
放射パネル２２１には、風路２３の上流端２３ａ側と下流端２３ｂ側での室内空間１への熱の放射量の差を緩和する放射グラデーション手段が設定されており、この放射グラデーション手段は、放射パネル２２１の熱抵抗が風路２３の上流側（室内機２１１側）に位置する部分２２１ａで相対的に大きく（例えば５．０×１０−５〜０．１５ｍ２Ｋ／Ｗ）、風路２３の下流側（室内機２１１と反対側）に位置する部分２２１ｂで相対的に小さく（例えば１．０×１０−５〜０．０３ｍ２Ｋ／Ｗ）なるように材質を連続的に変化させたものである。
【００３１】
以上のように構成された放射空調システム２において、夏季に冷房を行う場合は、不図示のリモコン等の操作によって空調機２１を冷房運転させると、この空調機２１の室内機２１１からの冷却空気がケース２２内の風路２３へ送られる。そしてこの冷却空気が風路２３を通過する過程で、ケース２２の放射パネル２２１の裏面（上面）を擦過することによってこの放射パネル２２１との熱交換が行われ、すなわち放射パネル２２１が冷却されるので、先に説明した式（１）におけるｔ２が低下し、この放射パネル２２１の表面（下面）から室内空間１への冷熱の放射ＴＲが行われる。なお、この場合、実際には、冷却された放射パネル２２１からの熱（赤外線）の放射強度は著しく低いものとなるので、ヒトの体表面などから放射された熱が、冷却された放射パネル２２１の表面で反射せずに吸収されることによって冷感を感じるものであるが、ここでは便宜的に、放射パネル２２１からの放射ＴＲによる冷感を感じるものとする。
【００３２】
一方、放射パネル２２１と熱交換されることによって適宜昇温した冷却空気は、風路２３の下流端２３ｂから室内空間１へ流出し、対流によって室内空間１を下降する。そしてこの冷却空気の流れは、風路２３での拡散や摩擦によって減速されることに加え、上述のように、放射パネル２２１との熱交換によって適宜昇温しているため、室内対流による下降速度が緩やかであり、しかもこの下降気流は放射パネル２２１の周囲から壁面１２に沿って発生する。このため不快な気流感が抑えられて、例えば横臥位にあるユーザーは、主として放射パネル２２１からの放射ＴＲによる冷感を感じることとなる。
【００３３】
また、空調機２１は室内空間１の空気を取り込んで冷却・除湿するため、室内空間１の水蒸気量が減少する。詳しくは、室内空間１内の空気が空調機２１の室内機２１１に取り込まれて冷却される際には、空気に含まれる水蒸気が飽和して凝縮され、液化して室外へ排出されるので、風路２３へ供給される冷却空気は湿度が低いものとなる。しかも放射パネル２２１は透湿性を有するため、風路２３を通過する冷却空気で冷却されることによって放射パネル２２１の下面に結露を生じるのを防止することができ、このため、結露に伴う潜熱放出による放射冷房効率の悪化も防止することができる。
【００３４】
そして、図７に示す従来の放射空調システムのように天井裏の空間全体を冷却する必要がないことに加え、風路２３を通過した冷却空気が室内空間１の上部へ流出するようにしたため、放射冷房の立ち上がりの悪さが改善され、短時間で快適な環境とすることができる。さらに、式（１）におけるｔ２が低下するため、一般的な対流型（空気噴流型）の空調システムに比較して室温（式（１）における空気の温度ｔ１）を高く設定することができ、このため例えば窓を開けて換気を行う場合の外気との温度差が小さくなって熱損失も小さく抑えられ、その結果、省エネルギーに寄与することができる。
【００３５】
ここで、風路２３内の冷却空気は、下流端２３ｂへ向かう過程で放射パネル２２１との熱交換によって徐々に温まるため、放射パネル２２１の表面温度も、室内機２１１に近い部分２２１ａで相対的に低温となるような温度勾配を生じることになるが、放射パネル２２１は、風路２３の上流側の部分２２１ａで熱抵抗が相対的に大きくなるように設定されているため、表面（下面）の温度勾配が緩和され、ひいては温度勾配による，熱の放射量の差が緩和される。したがって室内空間１への放射ＴＲが均一化され、冷感のムラをなくして快適性を向上させることができる。
【００３６】
次に、冬季に暖房を行う場合は、ユーザーが不図示のリモコン等の操作によって空調機２１を暖房運転させると、まず空調機２１の室内機２１１からの加熱空気がケース２２内の風路２３へ送られる。そしてこの加熱空気が風路２３を通過する過程で、ケース２２の放射パネル２２１の裏面（上面）を擦過することによってこの放射パネル２２１との熱交換が行われ、すなわち放射パネル２２１が加熱されるので、先に説明した式（１）におけるｔ２が高くなり、この放射パネル２２１の表面（下面）から室内空間１への熱の放射ＴＲが行われる。
【００３７】
一方、放射パネル２２１と熱交換されることによって適宜降温した加熱空気は、風路２３の下流端２３ｂから室内空間１へ流出し、室内空間１の上部（ヒトの身長より高い領域）に滞留する。このためヒトの生活空間内での上下温度分布差や気流による不快感が抑えられて、例えば横臥位にあるユーザーは、主として放射パネル２２１からの放射ＴＲによる温感を感じるものとなる。
【００３８】
そして、図７に示す従来の放射空調システムのように天井裏の空間全体を温める必要がないので、放射暖房の立ち上がりの悪さが改善され、短時間で快適な環境とすることができる。さらに、式（１）におけるｔ２を上昇させるため、一般的な対流型（空気噴流型）の空調システムに比較して室温（式（１）における空気の温度ｔ１）を低く設定することができる。しかも風路２３から流出した加熱空気は室内空間１の上部に滞留しており、室内空間１の下部の空気は比較的低温であるため、例えば窓を開けて換気を行う場合の外気との温度差が小さくなって熱損失も小さく抑えられ、その結果、省エネルギーに寄与することができる。
【００３９】
ここで、風路２３内の加熱空気は、下流端２３ｂへ向かう過程で放射パネル２２１との熱交換によって徐々に温度が低下するため、放射パネル２２１の表面温度も、室内機２１１に近い部分２２１ａで相対的に高温となるような温度勾配を生じることになるが、放射パネル２２１は、風路２３の上流側の部分２２１ａで熱抵抗が相対的に大きくなるように設定されているため、表面（下面）の温度勾配が緩和され、ひいては温度勾配による熱の放射量の差が緩和される。したがって放射暖房による温度ムラを緩和して快適性を向上させることができる。
【００４０】
また、空調機２１の室内機２１１やケース２２は天井板１１の下面に設置されるものであり、従来のように天井裏に設置する必要がないため、天井裏空間の高さに関係なく施工可能である。またこのため、メンテナンスなども容易に行うことができる。
【００４１】
そして、ケース２２における放射パネル２２１と反対側は断熱パネル２２２からなるため、風路２３を通過する空調空気（冷却空気又は加熱空気）から天井板１１側への伝熱による熱損失が低減される。したがって放射パネル２２１からの室内空間１への放射効率を高めると共に、風路２３の下流端２３ｂから室内空間１へ流出する空調空気による調温効率を高めることができる。
【００４２】
また、この放射空調システム２は薄型であるため、天井板１１の下面に設置したことによる圧迫感が少なく、しかも軽量であるため安全に取り付けることができる。
【００４３】
次に図３は、本発明に係る放射空調システムの第二の実施の形態を示すものである。この実施の形態において、上述した第一の実施の形態と異なるところは、放射パネル２２１がタイル状の複数のセグメント２２１ｃに分割されており、風路２３の上流端２３ａ側（室内機２１１側）に位置するセグメントには熱抵抗が相対的に大きい材質のものを用い、風路２３の下流端２３ｂ側（室内機２１１と反対側）のセグメントほど、熱抵抗が相対的に小さい材質のものを用いることによって、室内空間１への熱の放射量の差を緩和する放射グラデーション手段を設定した点にある。
【００４４】
したがって、この第二の実施の形態も、第一の実施の形態と同様の効果を実現することができる。
【００４５】
次に図４は、本発明に係る放射空調システムの第三の実施の形態を示すものである。この実施の形態において、上述した各実施の形態と異なるところは、放射パネル２２１の肉厚を風路２３の上流端２３ａ側で厚く風路２３の下流端２３ｂ側で薄くなるように変化させることによって、室内空間１への熱の放射量の差を緩和する放射グラデーション手段を設定した点にある。この場合、放射パネル２２１の肉厚は連続的に変化させても良く、あるいは放射パネル２２１を肉厚の異なる複数のセグメントからなるものとすることによって、段階的に変化させても良い。
【００４６】
すなわち、第三の実施の形態によれば、風路２３の上流端２３ａ側では放射パネル２２１の肉厚が厚いことによって、放射パネル２２１の裏面（上面）から表面（下面）への伝熱が抑制され、風路２３の下流端２３ｂ側では放射パネルの肉厚が薄いことによって伝熱が促されるので、風路２３内の温度勾配による熱の放射量の差が緩和される。したがって放射冷暖房による温度ムラを緩和して快適性を向上させることができる。
【００４７】
次に図５は、本発明に係る放射空調システムの第四の実施の形態を示すものである。この実施の形態において、上述した各実施の形態と異なるところは、放射パネル２２１における風路２３側の面（上面）又は室内空間１側の表面（下面）に多数の凹凸（凹部又は凸部又はその両方）２２１ｄが形成されており、この凹凸２２１ｄの密度を風路２３の上流端２３ａ側で低く風路の下流端２３ｂ側で高くなるように変化させることによって、室内空間１への熱の放射量の差を緩和する放射グラデーション手段を設定した点にある。この場合、凹凸２２１ｄはディンプル状のものや隆起形状のもの、溝状、あるいは格子状のものなどが考えられる。
【００４８】
第四の実施の形態によれば、風路２３の上流端２３ａ側では放射パネル２２１に形成された凹凸２２１ｄの密度が低いことによって、放射パネル２２１の単位領域の表面積が小さくなって風路２３からの受熱あるいは室内空間１への熱放射が抑制され、風路２３の下流端２３ｂ側では凹凸２２１ｄの密度が高いことによって、放射パネル２２１の単位領域の表面積が大きくなって風路２３からの受熱あるいは室内空間１への熱放射が促されるので、風路２３内の温度勾配による熱の放射量の差が緩和される。したがって放射冷暖房による温度ムラを緩和して快適性を向上させることができる。
【００４９】
なお、放射パネル２２１には、冷房時の結露の懸念がある環境では、上述のように透湿性を有する材質のものを採用することが好ましいが、比較的乾燥した状態に維持される環境で使用する場合は、潜熱蓄熱材（Phase Change Material：ＰＣＭともいう）を使用することも可能である。潜熱蓄熱材を用いた場合は、空調機のサーモオフ時による放射パネルの表面温度の時間経過での温度降下を抑えることが可能であり、したがって、図６に示すように、空調のサーモオフ時とオン時での影響を受けにくくし、放射パネルの表面温度のムラを抑制する効果がある。すなわち、放射パネルに潜熱蓄熱材を使用した場合は、空調動作のオンオフ時に、放射パネルの表面温度に急激な変化が起こりにくく、室内空間の時間変化による温度のムラを抑えることが可能となる。そして、空調機側ではサーモオフのなだらかな制御が難しいため、放射パネル側で対応できる点で有用である。
【００５０】
また、上述した実施の形態では、空調機２１の室内機２１１及びこれに接続された中空のケース２２を天井板１１の下面に設置するものとして説明したが、壁面１２に取り付けても良い。
【符号の説明】
【００５１】
１  室内空間
１１  天井板
２  放射空調システム
２１  空調機
２１１  室内機
２１１ａ  空調空気噴出口
２２  ケース
２２１  放射パネル
２２２  断熱パネル
２３  風路
２３ａ  上流端
２３ｂ  下流端
２２１ｃ  セグメント
２２１ｄ  凹凸
【図１】
0006512658.tif 000003
【図２】
0006512658.tif 000004
【図３】
0006512658.tif 000005
【図４】
0006512658.tif 000006
【図５】
0006512658.tif 000007
【図６】
0006512658.tif 000008
【図７】
0006512658.tif 000009